(57)【要約】【課題】  利用者側が告知又は宣伝したい情報と、視聴者が取得したい情報との調整を図る手段として、配信又は表示するコンテンツの再生順序の設定を最適化するコンテンツ配信方法を提供する。【解決手段】  ネットワークを介してサーバからクライアントへコンテンツを配信し、このクライアントでコンテンツを順次再生するに際し、サーバはクライアントで再生する優先順位Ｐ1〜Ｐnを付したコンテンツと、優先順位Ｐ1〜Ｐn毎に設定したコンテンツの出現率Ａ1〜Ａnと優先順位Ｐ1〜Ｐn毎のコンテンツの数との掛け合わせから算出した再生順序Ｔ1〜Ｔallに優先順位の低い各コンテンツから順に割り当てた再生スケジュールとを、ネットワークを介してクライアントへ配信し、各コンテンツを前記再生スケジュールに従って順に再生するコンテンツ配信方法である。【選択図】  図４
2005117257.tif 000002
【特許請求の範囲】
【請求項１】
ネットワークを介してサーバからクライアントへコンテンツを配信し、該クライアントでコンテンツを順次再生するに際し、サーバはクライアントで再生する優先順位Ｐ1〜Ｐn(ｎは２以上の自然数)を付したコンテンツと、優先順位Ｐ1〜Ｐn毎に設定したコンテンツの出現率Ａ1〜Ａnと優先順位Ｐ1〜Ｐn毎のコンテンツの数との掛け合わせから算出した再生順序Ｔ1〜Ｔallに優先順位の低い各コンテンツから順に割り当てた再生スケジュールとを、ネットワークを介してクライアントへ配信し、各コンテンツを前記再生スケジュールに従って順に再生するコンテンツ配信方法。
【請求項２】
再生スケジュールは、優先順位Ｐ1〜Ｐn毎に応じた出現率Ａ1〜Ａnを設定し、優先順位Ｐ1〜Ｐn毎のコンテンツの数を集計して順位別コンテンツ数Ｒ1〜Ｒnを算出し、各優先順位Ｐ1〜Ｐn毎の出現率Ａ1〜Ａnを前記順位別コンテンツ数Ｒ1〜Ｒnに掛け合わせて順位別必要再生数Ｓ1(＝Ａ1×Ｒ1)〜Ｓn(＝Ａn×Ｒn)を算出し、各順位別必要再生数Ｓ1〜Ｓnを合計して必要再生総数Ｓallを算出し、再生スケジュールは前記必要再生総数Ｓallに同数の再生順序Ｔ1〜Ｔallを並べた順列として構成し、最も低い優先順位Ｐ1を付したコンテンツから順に再生順序Ｔ1〜Ｔallに割り当てて生成する請求項１記載のコンテンツ配信方法。
【請求項３】
再生スケジュールは、最も低い優先順位Ｐ1を付したコンテンツは、必要再生総数Ｓallを該優先順位Ｐ1の順位別必要再生数Ｓ1で割って得られる値を出現間隔Int1とし、再生順序Ｔ1から該出現間隔Int1の間隔で割り当てていき、次に低い優先順位Ｐ2を付したコンテンツは、必要再生総数Ｓallから上記順位別必要再生数Ｓ1を減算した残余再生数Ｓrest(＝Ｓall−Ｓ1)を該優先順位Ｐ2の順位別必要再生数Ｓ2で割って得られる値を出現間隔Int2とし、上記コンテンツの割り当てていない再生順序Ｔ2から該出現間隔Int2の間隔で割り当てていき、優先順位Ｐ3以上は上記優先順位Ｐ2を付したコンテンツの割り当てに準じて必要再生総数Ｓallが埋まるまで繰り返して割り当てて生成する請求項２記載のコンテンツ配信方法。
【請求項４】
ネットワークを介してサーバからクライアントへコンテンツを配信し、該クライアントでコンテンツを順次再生するコンテンツ配信システムにおいて、サーバはクライアントで再生する優先順位Ｐ1〜Ｐn(ｎは２以上の自然数)を付したコンテンツを記憶する配信側記憶手段と、優先順位Ｐ1〜Ｐn毎に設定したコンテンツの出現率Ａ1〜Ａnと優先順位Ｐ1〜Ｐn毎のコンテンツの数との掛け合わせから算出した再生順序Ｔ1〜Ｔallに優先順位の低い各コンテンツから順に割り当てた再生スケジュールを生成するスケジュール生成手段と、コンテンツ及び再生スケジュールを、ネットワークを介してクライアントへ送る配信手段とを備え、クライアントはコンテンツ及び再生スケジュールを、ネットワークを介してサーバから受け取る受信手段と、受け取ったコンテンツ及び再生スケジュールを記憶する受信側記憶手段と、コンテンツを再生スケジュールに従って順に再生する再生手段とを備えたことを特徴とするコンテンツ配信システム。
【請求項５】
スケジュール生成手段は、優先順位Ｐ1〜Ｐn毎に応じた出現率Ａ1〜Ａnを設定する出現率設定手段と、同じ優先順位Ｐ1〜Ｐn毎のコンテンツの数を集計して順位別コンテンツ数Ｒ1〜Ｒnを算出する順位別コンテンツ数集計手段と、各優先順位Ｐ1〜Ｐn毎の出現率Ａ1〜Ａnを前記順位別コンテンツ数Ｒ1〜Ｒnに掛け合わせて順位別必要再生数Ｓ1(＝Ａ1×Ｒ1)〜Ｓn(＝Ａn×Ｒn)を算出する順位別必要再生数算出手段と、各順位別必要再生数Ｓ1〜Ｓnを合計した必要再生総数Ｓallに同数の再生順序Ｔ1〜Ｔallを並べた順列を構成する再生スケジュール構成手段と、最も低い優先順位Ｐ1を付したコンテンツから順に再生順序Ｔ1〜Ｔallに割り当てていく再生スケジュール割当手段とからなる請求項４記載のコンテンツ配信システム。
【請求項６】
再生スケジュール割当手段は、必要再生総数Ｓallを優先順位Ｐ1の順位別必要再生数Ｓ1で割って得られる値を出現間隔Int1とし、再生順序Ｔ1から該出現間隔Int1の間隔で最も低い優先順位Ｐ1を付したコンテンツを割り当てていく第１順割当手段と、必要再生総数Ｓallから上記順位別必要再生数Ｓ1を減算した残余再生数Ｓrest(＝Ｓall−Ｓ1)を該優先順位Ｐ2の順位別必要再生数Ｓ2で割って得られる値を出現間隔Int2とし、コンテンツを割り当てていない再生順序に対して該出現間隔Int2の間隔で次に低い優先順位Ｐ2を付したコンテンツを割り当てていき、該優先順位Ｐ2を付したコンテンツの割り当てに準じて必要再生総数Ｓallが埋まるまで優先順位Ｐ3以上のコンテンツを繰り返して割り当てていく繰返割当手段とからなる請求項５記載のコンテンツ配信システム。
【請求項７】
クライアントは、URLによりアクセス先が示される第三者コンテンツを、前記URLに従ってネットワークを介して第三者サーバから受け取り、該URLの内容を再生手段により再生させる第三者コンテンツ再生手段を備えた請求項４記載のコンテンツ配信システム。
【請求項８】
クライアントは、再生指定時間を付した指定コンテンツを、再生スケジュールに従って再生される優先順位Ｐ1〜Ｐnを付したコンテンツに割り込ませて、前記再生指定時間又は再生指定時間に間近い前後の時間に再生手段により再生させる指定コンテンツ再生手段を備えた請求項４記載のコンテンツ配信システム。
【請求項９】
クライアントは、逐次再生要求を付した割込コンテンツを受信手段により受信させる割込受信手段と、前記逐次再生要求を付した割込コンテンツを、再生スケジュールに従って再生される優先順位Ｐ1〜Ｐnを付したコンテンツに割り込ませて再生手段により再生させる割込コンテンツ再生手段を備えた請求項４記載のコンテンツ配信システム。
【請求項１０】
クライアントは、定期的にコンテンツ又は再生スケジュールの更新をサーバに対して確認する更新確認手段と、コンテンツ又はスケジュールの更新が確認された場合、更新されたコンテンツ又は再生スケジュールをサーバの配信手段により配信させ、該コンテンツ又は再生スケジュールを受信手段により受信させる更新受信手段とを備えた請求項４記載のコンテンツ配信システム。
【発明の詳細な説明】
【技術分野】
【０００１】
本発明は、ネットワークを介してサーバからクライアントへコンテンツを配信するコンテンツ配信方法と、このコンテンツ配信方法に基づくコンテンツ配信システムとに関する。
【背景技術】
【０００２】
不特定多数の視聴者に対してコンテンツ(テキスト、画像、動画又は音楽を単一又は組み合わせて特定の内容を構成する情報単位)を順次再生していくコンテンツ配信システム(以下配信システムと略する)として、例えば駅のホームや街頭における電光表示板(スクロールするテキストがコンテンツとなる)がよく知られている。このほか、公共施設や病院等でも、施設利用者や来院者に対して必要又は有益な情報を提供するため、電光表示板やテレビモニタを利用した配信システムが構築されている。
【０００３】
近年の配信システムは、ネットワーク(インターネット又は専用回線)を介してサーバからクライアントへコンテンツを配信するシステム構成になっている(後掲特許文献１〜３)。通常、サーバはコンテンツの配信者が管理し、システムの利用者毎に配置したクライアントへネットワークを介してコンテンツを配信する。このコンテンツは、作成者が作成し、配信者が管理するサーバへ渡す。このように、配信システムは、配信者、作成者及び利用者の三者が携わる。前記三者の分類は、配信システムに対する機能的なもので、三者が同一である場合もあるが、作成者及び利用者と配信者とが異なる場合もある。
【０００４】
特許文献１は、情報獲得モジュールが様々な情報源から情報(コンテンツ)を獲得し、情報量調整モジュールが情報の量を単位期間取得情報量になるように調整して、情報提示タイミング調整モジュールが行動監視モジュールから通知されるユーザの行動に合わせてタイミングを調整し、情報出力モジュールが調整された情報を調整されたタイミングでユーザに提示する配信システムを開示している。このように、特許文献１は、多種多様なコンテンツの柔軟な組み合わせを特徴としている。
【０００５】
特許文献２は、予め配信すべき時間帯が指定されていない広告(コンテンツ)に対してはそれぞれの属性ごとに重み付けを行い、配信側、視聴者側からの配信条件を反映した配信頻度、配信順序を決定し、広告順序スケジュールを作成し、予め配信時間帯、配信頻度が指定されている広告(コンテンツ)に対してはスケジュール化を行い、配信タイムスケジュールを作成して、前記２つのスケジュールを配信スケジュールとしてまとめ、それに基づき時刻を見ながら配信側から視聴者に広告を配信し、視聴者側の表示部に表示する配信システムを開示している。このように、特許文献２は、多種多様なコンテンツの柔軟な組み合わせについて、更に検討を加えている。
【０００６】
特許文献３は、情報サーバの発信した表示データが、通信回線網を介して出力部に配信され、前記出力部が、受信した表示データを表示させる配信システムを開示している。前記サーバは、前記出力部に対して、複数の表示画面を構成する前記表示データを、表示順又は表示時間又はそれら両方を含むスケジュールデータとして前記通信回線網を介して配信し、前記出力部は、前記複数の表示画面を構成する前記表示データを前記スケジュールデータに従って表示させている。このように、特許文献３は、多種多様なコンテンツの柔軟な組み合わせの別例を開示している。
【０００７】
【特許文献１】特開2000-099441号公報（３〜13頁、図１及び２）
【特許文献２】特開2001-236444号公報（２〜９頁、図１,２及び12）
【特許文献３】特開2002-109235号公報（３〜７頁、図１,２及び11）
【発明の開示】
【発明が解決しようとする課題】
【０００８】
このように、ネットワークを介した配信システムは、多種多様なコンテンツを柔軟に組み合わせることができる。ところが、利用者が告知又は宣伝したいコンテンツと、視聴者が取得したいコンテンツとは必ずしも一致しないため、前記多種多様なコンテンツをどのように組み合わせて配信するかが問題となる。この点、特許文献１(［0005］〜［0012］)や特許文献２(［0003］)には、前記問題について明示的な指摘がある。
【０００９】
特許文献１は、情報量調整モジュールにより情報量の単位期間取得情報量に調整している。ここで、単位期間取得情報量とは「単位期間あたりに取得される情報量（引用文献１［0033］）」であり、前記情報量調整モジュールは多種多様なコンテンツの意味付けを無視し、単なる量的規制の意味しか有さない。また、こうした量的規制を受けたコンテンツは、情報提示タイミング調整モジュールである「(I)情報を単位期間内で分配するモジュール（特許文献１［0069］）」に従って配信されるのみで、利用者側が告知又は宣伝した情報や、視聴者が取得したい情報を特に考慮していない。
【００１０】
ここで、情報提示タイミング調整モジュールには「(III)情報の内容等の属性と提示するときの状況が適合するように、タイミングを調整するモジュール（特許文献１［0069］）」が含まれている。この(III)情報の内容等の属性と提示するときの状況が適合するように、タイミングを調整するモジュールは、提示する情報の内容やその他の属性と、行動監視モジュールから得られた状況が適合するように、情報を提示する。しかし、前記提示は、視聴者が取得したい情報に主眼をおいた処理であり、利用者側が告知又は宣伝した情報については考慮されていない。あくまで、利用者側が告知又は宣伝した情報と、視聴者が取得したい情報との調整を図ることが重要である。
【００１１】
これに対し、特許文献２では、コンテンツに設定した属性を利用した配信スケジュールを作成することで、利用者側が告知又は宣伝した情報と、視聴者が取得したい情報との調整を図っている。具体的には、利用者が設定する配信条件として「配信時間帯、配信回数、ターゲットとなる視聴者群を示す情報」、そして視聴者が設定する配信条件として「視聴者の嗜好にあった広告群を示す情報」を扱うことにより、全配信条件を加味した配信スケジュールは、結果として利用者側が告知又は宣伝した情報と、視聴者が取得したい情報との調整を図ることができる。しかし、視聴者側を考慮するため、視聴者からの配信条件の提示が必須となり、一方的にコンテンツを配信及び表示する配信システムでは、特許文献２のシステム構成は利用しがたい。
【００１２】
視聴者側から配信条件の提示を受けることなく、利用者側が告知又は宣伝したい情報と、視聴者が取得したい情報とをうまく調整するには、利用者が告知又は宣伝したいコンテンツをもれなく配信しながら、優先順位に応じ、各コンテンツ毎に視聴者の目に留まる確率を考慮した再生順序を設定できるとよい。この点、特許文献３は、表示順又は表示時間又はそれら両方を含むスケジュールデータをコンテンツと共に配信し、利用者側が告知又は宣伝したい情報と、視聴者が取得したい情報との調整を図っているように見える。しかし、具体的な再生順序の決定については触れていない。
【００１３】
そこで、ネットワークを介した配信システムにおいて、多種多様なコンテンツを柔軟に組み合わせて配信できる利点を活かしつつ、利用者側が告知又は宣伝したい情報と、視聴者が取得したい情報との調整を図る手段として、配信又は表示するコンテンツの再生順序の設定を最適化するための具体的手段について、検討した。
【課題を解決するための手段】
【００１４】
検討結果開発したものが、ネットワークを介してサーバからクライアントへコンテンツを配信し、このクライアントでコンテンツを順次再生するに際し、サーバはクライアントで再生する優先順位Ｐ1〜Ｐn(ｎは２以上の自然数)を付したコンテンツと、優先順位Ｐ1〜Ｐn毎に設定したコンテンツの出現率Ａ1〜Ａnと優先順位Ｐ1〜Ｐn毎のコンテンツの数との掛け合わせから算出した再生順序Ｔ1〜Ｔallに優先順位の低い各コンテンツから順に割り当てた再生スケジュールとを、ネットワークを介してクライアントへ配信し、各コンテンツを前記再生スケジュールに従って順に再生するコンテンツ配信方法(以下、配信方法と略する)である。
【００１５】
再生スケジュールは、再生される各コンテンツの繰り返し順を定義するのみで、再生スケジュールの一巡時間は、更に各コンテンツの再生時間の和となる。また、再生スケジュールは、この再生スケジュールに従って再生する全コンテンツと一体かつ事前にサーバからクライアントへ配信することを基本とする。しかし、事前に再生スケジュールのみをサーバからクライアントへ配信しておき、各コンテンツは再生する直前又は同時にサーバからクライアントへ逐次配信してもよい。例えば、後述する再生指定時間を付した指定コンテンツや、逐次再生要求を付した割込コンテンツは、サーバからクライアントへ逐次配信することになる。
【００１６】
ここで、優先順位Ｐ1〜Ｐnは、コンテンツの重要性を表す数値であり、優先順位Ｐ1〜Ｐn相互の重要性の程度の違いを表す数値であればよい。これに対し、出現率Ａ1〜Ａnは、優先順位Ｐ1〜Ｐnに対応したコンテンツの再生頻度又は繰り返し頻度を意味し、優先順位Ｐ1〜Ｐnの序列を損ねない範囲で、出現率Ａ1〜Ａn相互で優先順位Ｐ1〜Ｐnと異なる大小関係を有する。例えば、優先順位Ｐ1〜Ｐnが一次関数的な比例関係を有する数値とし、出現率Ａ1〜Ａnは二次関数又は指数関数的な比例関係を有する数値とする組み合わせが考えられる。
【００１７】
具体的には、数値が大きいほど優先順位又は出現率が高いとして、優先順位Ｐ1＝１、Ｐ2＝２、Ｐ3＝３とした場合、優先順位Ｐ1に対応した出現率Ａ1＝１、優先順位Ｐ2に対応した出現率Ａ2＝1.5、優先順位Ｐ3に対応した出現率Ａ3＝2.25とする。このように、出現率Ａ1〜Ａnは、予め各コンテンツに付された優先順位Ｐ1〜Ｐnを、実際的な各コンテンツの再生頻度又は繰り返し頻度に置換する働きを有する。また、優先順位Ｐ1〜Ｐn及び出現率Ａ1〜Ａnの対応関係は、任意に決定してよいため、同じコンテンツを用いても、異なる再生スケジュールを生成して違ったコンテンツの配信形態を構築できる。
【００１８】
本発明は、配信者、作成者及び利用者の三者が携わる配信システムに対して適用される。配信者がサーバを管理し、利用者毎に最低１台のクライアントを割り当てる。各利用者が複数のクライアントを有する場合、各クライアント毎に個別のコンテンツ及び再生スケジュールを配信してもよいし、一定数のクライアント毎に同じコンテンツ及び再生スケジュールを配信してもよい。作成者は、配信者又は利用者と同じでも、別の第三者でもよく、サーバに対してコンテンツを供給すればよい。ネットワークは、インターネット又は専用線のいずれでもよいが、インターネットは外部に開放されており、コンテンツとしてURLを定義した第三者コンテンツを扱いやすいので好ましい。
【００１９】
本発明の配信方法は、多種多様なコンテンツを再生スケジュールに従って順に再生する点で、従来と似ている。しかし、本発明が課題とする「利用者側が告知又は宣伝したい情報と、視聴者が取得したい情報との調整」を実現するため、コンテンツ毎に優先順位Ｐ1〜Ｐnを付し、この優先順位Ｐ1〜Ｐn毎にコンテンツの繰り返し頻度である出現率Ａ1〜Ａnを設定し、前記出現率Ａ1〜Ａnと優先順位Ｐ1〜Ｐn毎のコンテンツの数との掛け合わせから算出した再生順序Ｔ1〜Ｔallに、優先順位の低い各コンテンツから順に割り当てて再生スケジュールを生成している。すなわち、再生スケジュールは、各コンテンツの優先順位Ｐ1〜Ｐnに着目し、この優先順位Ｐ1〜Ｐnの違いを加味した各コンテンツの繰り返し回数を含めた全コンテンツの再生数を求めて生成している点に特徴がある。
【００２０】
具体的には、再生スケジュールは、優先順位Ｐ1〜Ｐn毎に応じた出現率Ａ1〜Ａnを設定し、優先順位Ｐ1〜Ｐn毎のコンテンツの数を集計して順位別コンテンツ数Ｒ1〜Ｒnを算出し、各優先順位Ｐ1〜Ｐn毎の出現率Ａ1〜Ａnを前記順位別コンテンツ数Ｒ1〜Ｒnに掛け合わせて順位別必要再生数Ｓ1(＝Ａ1×Ｒ1)〜Ｓn(＝Ａn×Ｒn)を算出し、各順位別必要再生数Ｓ1〜Ｓnを合計して必要再生総数Ｓallを算出し、再生スケジュールは前記必要再生総数Ｓallに同数の再生順序Ｔ1〜Ｔallを並べた順列として構成し、最も低い優先順位Ｐ1を付したコンテンツから順に再生順序Ｔ1〜Ｔallに割り当てて生成する。
【００２１】
ここで、上述したように、出現率Ａ1〜Ａnは、必ずしも自然数でなくてもよいため、各順位別必要再生数Ｓ1〜Ｓnはそれぞれ自然数にならない。しかし、Ｓ1〜Ｓnを合計して得られるＳallは、各コンテンツを割り当てる序列、すなわち再生順序Ｔ1〜Ｔallを決定するため、必ず自然数でなくてはならない。このため、各Ｓ1〜Ｓnを切り捨て、切り上げ又は四捨五入により個別に自然数に丸め込むか、Ｓ1〜Ｓallを合計した後、Ｓallについて切り捨て、切り上げ又は四捨五入により自然数に丸め込む。実際には、再生順序Ｔallが大きいほどコンテンツの分散が図られるため、好ましいので、Ｓ1〜Ｓallを個別に切り上げ又は四捨五入により自然数に丸め込むとよい。通常、順位別必要再生数Ｓ1〜Ｓnは、各出現率Ａ1〜Ａnをかけ合わせるため、順位別コンテンツ数Ｒ1〜Ｒnより多くなるが、この場合、各順位別必要再生数Ｓ1〜Ｓnの範囲で各優先順位Ｐ1〜Ｐn毎のコンテンツを繰り返して再生することになる。
【００２２】
上記再生スケジュールの生成は、再生順序Ｔ1〜Ｔallの範囲に対し、優先順位の低いコンテンツを略均等に振り分ける働きと、優先順位の高いコンテンツの出現率を高める(繰り返し間隔を狭める)働きとを有する。すなわち、優先順位の低いコンテンツから優先的に再生スケジュールに割り当てることにより、優先順位の低いコンテンツを再生スケジュール全体に散りばめ、視聴者が取得したい情報を定期的かつ確実に再生できるようにする。また、各コンテンツは出現率Ａ1〜Ａnに応じた繰り返し頻度が確保されるため、優先順位の高いコンテンツの再生数を相対的に高くして、利用者側が告知又は宣伝したい情報を、より高い頻度で視聴者に見せることができる。
【００２３】
より具体的な再生スケジュールの生成は、次のようになる。まず、最も低い優先順位Ｐ1を付したコンテンツは、必要再生総数Ｓallをこの優先順位Ｐ1の順位別必要再生数Ｓ1で割って得られる値を出現間隔Int1とし、再生順序Ｔ1からこの出現間隔Int1の間隔で割り当てていき、次に低い優先順位Ｐ2を付したコンテンツは、必要再生総数Ｓallから上記順位別必要再生数Ｓ1を減算した残余再生数Ｓrest(＝Ｓall−Ｓ1)をこの優先順位Ｐ2の順位別必要再生数Ｓ2で割って得られる値を出現間隔Int2とし、上記コンテンツＣp1の割り当てていない再生順序Ｔ2からこの出現間隔Int2の間隔で割り当てていき、優先順位Ｐ3以上は上記優先順位Ｐ2を付したコンテンツの割り当てに準じて必要再生総数Ｓallが埋まるまで繰り返して割り当てて生成する。
【００２４】
出現間隔Int1は、上述のように、必要再生総数Ｓallを順位別必要再生数Ｓ1で割って得るが、実際にはＳallがＳ1でうまく割り切れることはないため、ＳallをＳ1で割って得られる小数点より上のみを用い、小数点以下を切り捨てる。これは、優先順位Ｐ1の各コンテンツに等しい非再生順序Ｔxを割り当て、切り捨てた小数点以下は再生スケジュールに割り当てる最後の優先順位Ｐ1のコンテンツに対する非再生順序Ｔxを意味する。これから、例えば出現間隔Int1＝５の場合、先の優先順位Ｐ1のコンテンツが再生順序Ｔ1に割り当てられると、次の優先順位Ｐ1のコンテンツは、出現間隔Int1だけ開けた再生順序Ｔ(1＋Int1＋1)＝再生順序Ｔ7に割り当てられる。
【００２５】
上記配信方法を実現するシステム構成は、次のようになる。すなわち、ネットワークを介してサーバからクライアントへコンテンツを配信し、このクライアントでコンテンツを順次再生するコンテンツ配信システムにおいて、サーバはクライアントで再生する優先順位Ｐ1〜Ｐn(ｎは２以上の自然数)を付したコンテンツを記憶する配信側記憶手段と、優先順位Ｐ1〜Ｐn毎に設定したコンテンツの出現率Ａ1〜Ａnと優先順位Ｐ1〜Ｐn毎のコンテンツの数との掛け合わせから算出した再生順序Ｔ1〜Ｔallに優先順位の低い各コンテンツから順に割り当てた再生スケジュールを生成するスケジュール生成手段と、コンテンツ及び再生スケジュールを、ネットワークを介してクライアントへ送る配信手段とを備え、クライアントはコンテンツ及び再生スケジュールを、ネットワークを介してサーバから受け取る受信手段と、受け取ったコンテンツ及び再生スケジュールを記憶する受信側記憶手段と、コンテンツを再生スケジュールに従って順に再生する再生手段とを備えたコンテンツ配信システム(以下、配信システムと略する)である。
【００２６】
サーバは、クライアントへ再生スケジュール及びコンテンツを配信する情報処理を担うコンピュータからなる。このサーバが備える配信側記憶手段は、従来公知の各種内部又は外部記憶装置を用いることができる。また、サーバが備える配信手段は、ネットワークを介してクライアントと通信する手段であり、従来公知の各種通信装置を用いることができる。これらに対し、スケジュール生成手段は、本発明の特徴である再生スケジュールを生成するための手段であり、具体的には配信側記憶手段に記憶させる各プログラムと、サーバが有する情報処理部とから構成される。
【００２７】
上記スケジュール生成手段は、優先順位Ｐ1〜Ｐn毎に応じた出現率Ａ1〜Ａnを設定する出現率設定手段と、同じ優先順位Ｐ1〜Ｐn毎のコンテンツの数を集計して順位別コンテンツ数Ｒ1〜Ｒnを算出する順位別コンテンツ数集計手段と、各優先順位Ｐ1〜Ｐn毎の出現率Ａ1〜Ａnを前記順位別コンテンツ数Ｒ1〜Ｒnに掛け合わせて順位別必要再生数Ｓ1(＝Ａ1×Ｒ1)〜Ｓn(＝Ａn×Ｒn)を算出する順位別必要再生数算出手段と、各順位別必要再生数Ｓ1〜Ｓnを合計した必要再生総数Ｓallに同数の再生順序Ｔ1〜Ｔallを並べた順列(１次元マトリックス)を構成する再生スケジュール構成手段と、最も低い優先順位Ｐ1を付したコンテンツから順に再生順序Ｔ1〜Ｔallに割り当てていく再生スケジュール割当手段とからなる。
【００２８】
また、再生スケジュール割当手段は、必要再生総数Ｓallを優先順位Ｐ1の順位別必要再生数Ｓ1で割って得られる値を出現間隔Int1とし、再生順序Ｔ1からこの出現間隔Int1の間隔で最も低い優先順位Ｐ1を付したコンテンツを割り当てていく第１順割当手段と、必要再生総数Ｓallから上記順位別必要再生数Ｓ1を減算した残余再生数Ｓrest(＝Ｓall−Ｓ1)をこの優先順位Ｐ2の順位別必要再生数Ｓ2で割って得られる値を出現間隔Int2とし、コンテンツを割り当てていない再生順序に対してこの出現間隔Int2の間隔で次に低い優先順位Ｐ2を付したコンテンツを割り当てていき、この優先順位Ｐ2を付したコンテンツの割り当てに準じて必要再生総数Ｓallが埋まるまで優先順位Ｐ3以上のコンテンツを繰り返して割り当てていく繰返割当手段とからなる。
【００２９】
クライアントは、サーバから受け取った再生スケジュール及びコンテンツを一時的に記憶し、前記再生スケジュールに従ってコンテンツを順に再生する情報処理を担うコンピュータからなる。このクライアントが備える受信手段は、ネットワークを介してサーバと通信する手段であり、従来公知の各種通信装置を用いることができる。また、クライアントが備える受信側記憶手段は、従来公知の各種内部又は外部記憶装置を用いることができる。
【００３０】
再生手段は、再生スケジュールに従って順にコンテンツを再生する手段であり、クライアントが有する情報処理部により操作される従来公知の各種出力装置から構成するとよい。このように、クライアントの情報処理部を利用した再生手段を用いれば、再生スケジュールに従うコンテンツの再生を一時中断したり、コンテンツの割り込みをかけたりすることができる。このような特別の処理を要するコンテンツとしては、再生内容をネットワーク上の別のサーバ(第三者サーバ)から取り込む第三者コンテンツ、再生スケジュールと無関係に再生指定時間が付される指定コンテンツ、又は再生スケジュールと無関係に逐次再生要求を付される割込コンテンツがある。こうした再生手段は、具体的には受信側記憶手段に記憶させるコンテンツ再生プログラムと、クライアントが有する情報処理部と、ディスプレイ又はスピーカ等の出力装置とから構成され、再生されたコンテンツは前記ディスプレイ又はスピーカ等から視聴者に提示される。
【００３１】
再生内容をネットワーク上の別のサーバ(第三者サーバ)から取り込む第三者コンテンツについては、上記配信システムのクライアントに対して、第三者コンテンツ再生手段を追加する。すなわち、クライアントは、URLによりアクセス先が示される第三者コンテンツを、前記URLに従ってネットワークを介して第三者サーバから受け取り、該URLの内容を再生手段により再生させる第三者コンテンツ再生手段を備える。前記第三者コンテンツ再生手段は、出力装置を制御して第三者コンテンツを再生する機能を有すればよく、上述した再生手段の情報処理部に組み入れることができる。第三者コンテンツは、全体が第三者サーバから取り込まれる再生内容から構成してもよいし、再生内容の一部を第三者サーバから取り込む構成でもよい。
【００３２】
再生スケジュールと無関係に再生指定時間が付される指定コンテンツについては、上記配信システムのクライアントに対して、指定コンテンツ再生手段を追加する。すなわち、クライアントは、再生指定時間を付した指定コンテンツを、再生スケジュールに従って再生される優先順位Ｐ1〜Ｐnを付したコンテンツに割り込ませて、前記再生指定時間又は再生指定時間に間近い前後の時間に再生手段により再生させる指定コンテンツ再生手段を備える。指定コンテンツ再生手段は、再生手段を制御して指定コンテンツを再生する機能を有すればよく、上述した再生手段の情報処理部に組み入れることができる。
【００３３】
指定コンテンツは、再生スケジュールに対して割り込む形で再生されるが、本発明の再生スケジュールは再生される各コンテンツの繰り返し順を定義するのみであるから、このように指定コンテンツを割り込ませても、再生スケジュールに従って順に再生されるコンテンツに影響はない。この指定コンテンツは、後述の割込コンテンツと似ているが、再生スケジュールに対して割り込むタイミングが再生指定時間として決められており、再生スケジュール又はコンテンツの配信と同時に、指定コンテンツも配信できる点が相違している。
【００３４】
再生スケジュールと無関係に逐次再生要求を付される割込コンテンツについては、上記配信システムのクライアントに対して、割込コンテンツ再生手段を追加する。すなわち、クライアントは、逐次再生要求を付した割込コンテンツを受信手段により受信させる割込受信手段と、前記逐次再生要求を付した割込コンテンツを、再生スケジュールに従って再生される優先順位Ｐ1〜Ｐnを付したコンテンツに割り込ませて再生手段により再生させる割込コンテンツ再生手段を備える。割込受信手段は、受信手段を制御して適宜割込コンテンツを受信する機能を有すればよく、上述した受信手段に組み入れることができる。また、割込コンテンツ再生手段は、再生手段を制御して割込コンテンツを再生する機能を有すればよく、上述した再生手段の情報処理部に組み入れることができる。
【００３５】
割込コンテンツは、再生スケジュールに対して割り込む形で再生されるが、本発明の再生スケジュールは再生される各コンテンツの繰り返し順を定義するのみであるから、このように割込コンテンツを割り込ませても、再生スケジュールに従って順に再生されるコンテンツに影響はない。この割込コンテンツは、上述の指定コンテンツと似ており、例えば再生スケジュールに対して予め割り込むタイミングが分かっている場合は、指定コンテンツとして取り扱うこともできる。上記割込コンテンツ再生手段が必要となるのは、利用者等の要望により、特定のコンテンツを再生スケジュールに対して割り込ませたい場合であり、再生スケジュール又はコンテンツの配信とは別に、割込コンテンツがクライアントへ配信される。このため、指定コンテンツの取り扱いと異なり、いつでも割込コンテンツを受信できるように、割込受信手段を必要とする。
【００３６】
再生スケジュール及びコンテンツは、サーバから新しい再生スケジュール又はコンテンツをクライアントへ配信すれば更新される。しかし、クライアントでは、先に配信された再生スケジュール及びコンテンツに従って既にコンテンツが再生中であるため、こうしたコンテンツの再生に割り込むように再生スケジュール又はコンテンツを途中で置き換える更新は好ましくない。そこで、再生スケジュール又はコンテンツの更新をクライアント主体で実施するため、次のような更新手段をクライアントに追加するとよい。すなわち、クライアントは、定期的にコンテンツ又は再生スケジュールの更新をサーバに対して確認する更新確認手段と、コンテンツ又はスケジュールの更新が確認された場合、更新されたコンテンツ又は再生スケジュールをサーバの配信手段により配信させ、このコンテンツ又は再生スケジュールを受信手段により受信させる更新受信手段とを備える。
【００３７】
更新確認手段は、受信手段を制御してサーバと通信し、新しい再生スケジュール又はコンテンツが配信側記憶手段にあるか否かを確認できる機能を有すればよく、受信手段の機能に組み入れることができる。また、更新受信手段は、更新確認手段で確認された新しい再生スケジュール又はコンテンツを受け取るため、受信手段を制御して適宜新しい再生スケジュール又はコンテンツを受信する機能を有すればよく、受信手段の機能に組み入れることができる。こうした更新確認手段及び更新受信手段は、配信システムが稼働し、最初に再生スケジュール及びコンテンツが配信された後、すなわち２回目以降の再生スケジュール又はコンテンツの配信に際して働く。
【発明の効果】
【００３８】
本発明により、ネットワークを介した配信システムにおいて、多種多様なコンテンツを柔軟に組み合わせて配信しながら、利用者側が告知又は宣伝したい情報と、視聴者が取得したい情報との調整をうまく図ることができる効果がある。しかも、こうした配信又は表示するコンテンツの再生順序の設定を最適化が、利用者の希望する優先順位に依拠して自動的に設定されるため、利用者に提供するサービスとして価値ある配信システムを提供できる効果がある。
【００３９】
本発明は、同じ優先順位のコンテンツを同列に扱い、生成した再生スケジュールに、サーバの記憶部に記憶された順に割り当てていく。コンテンツは、再生スケジュールに従って繰り返し再生されるため、厳密には順位別必要再生数に制限され、同じ優先順位のコンテンツでも再生スケジュール当たりで再生される回数が異なるものの、同じ優先順位のコンテンツは略等価とみなしてもよい。これは、再生スケジュールに含まれるコンテンツ数が多いほど、再生スケジュール当たりで再生される回数の絶対差が小さくなるため、当てはまる。再生スケジュールに含まれるコンテンツ数を増やすには、単純にコンテンツの数を増やすほか、出現率を高く設定すると順位別必要再生数が増え、見かけ上のコンテンツの数を増やすことができる。
【００４０】
しかし、再生スケジュールを繰り返していくと、再生スケジュール当たりで再生される回数の総和は、次第に絶対差が大きくなり、早い再生順序で再生されるコンテンツほど多く再生されることになる。これから、利用者又は配信者が設定する優先順位のほか、サーバの記憶部に記憶するコンテンツの順番も考慮すれば、利用者側が告知又は宣伝したい情報と、視聴者が取得したい情報とをより緻密に調整できる。このように、本発明は従来考慮されなかったコンテンツの割り振りを最適化する手法を提供する効果を有する。
【発明を実施するための最良の形態】
【００４１】
以下、本発明の実施形態について図を参照しながら説明する。図１は本発明を適用した配信システムの全体構成を表すネットワーク構成図、図２はサーバ100の機能構成を表すサーバ100の機能ブロック図であり、図３はクライアント200の機能構成を表すクライアント200の機能ブロック図である。本例では、説明の便宜上、クライアントが少数であるが、実際のサービス提供にあっては多数のクライアントがネットワークを介してサーバに接続する。
【００４２】
本例の配信システムは、図１〜図３に見られるように、情報処理部101を中核とするサーバ100と、同じく情報処理部201を中核とする複数のクライアント200とを、ネットワーク300で結んだ全体構成からなる。ネットワーク300は、通常外部に開放されたインターネットを基本とするが、外部に閉鎖されたイントラネットや、特定のサーバ及びクライアントのみを結ぶ専用ネットワークでもよい。サーバ100は、配信者が管理し、この配信者と契約した利用者に、１基又は複数基のクライアント200を割り当てる。すなわち、例示の３基のクライアント200は、同一又は個別の利用者に割り当てられている。
【００４３】
配信単位の再生スケジュール及びコンテンツは、各クライアント200毎に配信する。これから、利用者に複数基のクライアント200が割り当てられた場合でも、各クライアント200では、(a)同じコンテンツを同じ再生スケジュールで再生する場合、(b)同じコンテンツでありながら異なる再生スケジュールで再生する場合、(c)異なるコンテンツを異なる再生スケジュールで再生する場合があり得る。再生スケジュールはコンテンツに依存するため、コンテンツが異なれば必然的に再生スケジュールは異なる。
【００４４】
コンテンツは、利用者自身が配信者に提供するか、別途作成者が利用者の依頼に基づいて作成し、配信者に提供する。また、配信者自身が自らのコンテンツを作成する場合もある。これらクライアントは、音声又は音楽のみや、静止画又は動画からなる多種多様な内容を有するが、本発明ではこうした多種多様なコンテンツを混在させながら各コンテンツに付した優先度のみを各コンテンツを識別する個性とし、利用者側が告知又は宣伝したい情報と、視聴者が取得したい情報との調整を図る再生スケジュールを、前記優先度及び各優先度毎のコンテンツ数を基礎として自動生成する。
【００４５】
サーバ100は汎用のコンピュータにより構成でき、このサーバのハード構成は、図２に見られるように、コンピュータの情報処理部101を中心に、記憶部102、送受信部103、出力部104及び入力部105からなる機能ブロックで表すことができる。記憶部102は、コンピュータの内部又は外部記憶装置であり、通常ハードディスク装置を用いる。送受信部103は、ネットワーク300に対してサーバ100からアクセスする送受信装置であり、例えばモデム又はルータを用いる。出力部104は、サーバ100で扱うデータや管理画面を外部に出力するインターフェースで、ディスプレイやプリンタを例示できる。入力部105は、サーバ100で扱うデータを外部から入力するインターフェースで、キーボード、マウス、スキャナや各種メモリリーダ等を例示できる。
【００４６】
上記サーバ100において、本発明の配信側記憶手段は配信管理プログラム(配信管理PR)401、情報処理部101及び記憶部102から、スケジュール生成手段はスケジュール生成プログラム(SC生成PR)402及び情報処理部101から、そして配信手段は配信プログラム(配信PR)403、情報処理部101及び送受信部103からそれぞれ構成される。このように、サーバ100として汎用のコンピュータを用いると、各種プログラムの変更又は追加によって機能を容易に変更又は追加できる利点がある。逆に機能の変更又は追加の必要がなければ、本発明のサーバ100は、コンテンツ及び再生スケジュールの記憶及び配信の機能のみを備えた専用装置として構成し、再生スケジュールを外部のコンピュータで生成するようにしてもよい。
【００４７】
サーバ100の記憶部102は、入力部105から取り込まれたコンテンツ(Ｃ)を随時追加的に記憶させるほか、前記コンテンツに付された優先度に従ってスケジュール生成プログラム402が生成した再生スケジュール(再生SC)を一時的に記憶させる。前記コンテンツ及び再生スケジュールは、サーバ100の情報処理部101により実行される配信管理プログラム401がデータベースとして管理する。こうして管理されたコンテンツ又は再生スケジュールは、後述するクライアント200の更新確認手段によるコンテンツ又は再生スケジュールの更新の有無を判断する基準となる。また、コンテンツ及び再生スケジュールは、記憶部102に記憶された配信プログラム(配信PR)403が情報処理部101によって実行させることにより、送受信部103を通じて配信単位毎にクライアント200へ配信される。
【００４８】
スケジュール生成プログラム402は、出現率設定プログラム(出現率設定PR)404、順位別コンテンツ数集計プログラム(順位別Ｃ数集計PR)405、順位別必要再生数算出プログラム(順位別必要再生数算出PR)406、再生スケジュール構成プログラム(再生SC構成PR)407、第１順割当プログラム(第１順割当PR)408、そして繰返割当プログラム(繰返割当PR)409から構成される。これらプログラムは、基本的に前記記載順に実行し、各コンテンツに付された優先順位Ｐ1〜Ｐnから再生スケジュールを生成する。
【００４９】
出現率設定手段は、出現率設定プログラム404と、サーバ100の情報処理部101、入力部105及び出力部104から構成される。出現率設定プログラム404は、利用者又は作成者が各コンテンツに付した優先順位Ｐ1〜Ｐnを、クライアント200で再生する頻度を調整する出現率Ａ1〜Ａnを配信者に設定させるプログラムである。最も簡易な出現率設定プログラム404は、サーバ100の情報処理部101によりサーバ100の出力部104から配信者に出現率Ａ1〜Ａnの入力を促す手順、サーバ100の情報処理部101によりサーバ100の入力部105から配信者に優先順位Ａ1〜Ａnを入力させる手順、そしてサーバ100の情報処理部101によりサーバ100の記憶部102に前記入力された出現率Ａ1〜Ａnを記憶させる手順からなる。
【００５０】
出現率Ａ1〜Ａnは、優先順位Ｐ1〜Ｐnと特定の対応関係を有する数値でないため、上述のように、各出現率Ａ1〜Ａnを配信者が個別に設定できる出現率設定プログラム404が好ましい。これは、配信するコンテンツの種類に合わせ、また利用者の要望に合わせて、出現率を細かく変更できることを意味する。コンテンツの種類や利用者の要望に関係なく、特定の優先順位Ｐ1〜Ｐ2に対応して一律に出現率を設定する場合、サーバの出力部から配信者に優先順位及び出現率の関係式の入力を促す手順、サーバの入力部から配信者に前記関係式を入力させる手順、サーバの情報処理部により前記関係式から個別の出現率Ａ1〜Ａnを計算する手順、そしてサーバの記憶部に前記計算から得られた出現率Ａ1〜Ａnを記憶させる手順からなる出現率設定プログラムを用いるとよい。
【００５１】
順位別コンテンツ数集計手段は、順位別コンテンツ数集計プログラム405と、サーバ100の情報処理部101から構成される。順位別コンテンツ数集計プログラム405は、配信単位毎に優先順位Ｐ1〜Ｐn別のコンテンツ数を集計するプログラムである。具体的な順位別コンテンツ数集計プログラム405は、サーバ100の情報処理部101によりサーバ100の記憶部102に記憶させた配信単位の全コンテンツを順に読み出す手順、サーバ100の情報処理部101により呼び出した前記コンテンツの優先順位Ｐ1〜Ｐnを判定する手順、サーバ100の情報処理部101により判定した優先順位Ｐ1〜Ｐnに対応した順位別コンテンツ数Ｒ1〜Ｒnを加算していく手順までを全コンテンツに対して繰り返し、そして最後にサーバ100の情報処理部101によりサーバ100の記憶部102に集計を終えた順位別コンテンツ数Ｒ1〜Ｒnを記憶させる手順からなる。サーバ100の記憶部102にコンテンツを記憶させる際に、併せてサーバ100の情報処理部101により順位別コンテンツ数集計プログラムを実行して随時順位別コンテンツ数Ｒ1〜Ｒnを加算していってもよい。
【００５２】
順位別必要再生数算出手段は、順位別必要再生数算出プログラム406と、サーバ100の情報処理部101から構成される。順位別必要再生数算出プログラム406は、先に算出した順位別コンテンツ数Ｒ1〜Ｒnにそれぞれ出現率Ａ1〜Ａnを掛け合わせ、繰り返し単位となる再生スケジュールにおいて各優先順位Ｐ1〜Ｐnのコンテンツがそれぞれ何回再生できるかを決定するプログラムである。具体的な順位別必要再生数算出プログラム406は、サーバ100の情報処理部101によりサーバ100の記憶部102に記憶させた順位別コンテンツ数Ｒ1〜Ｒn及び出現率Ａ1〜Ａnを順に読み出す手順、サーバ100の情報処理部101により呼び出した前記コンテンツの順位別コンテンツ数Ｒ1〜Ｒn及び出現率Ａ1〜Ａnを掛け合わせて順位別必要再生数Ｓ1〜Ｓnを得る手順、そしてサーバ100の情報処理部101によりサーバ100の記憶部102に前記掛け合わせにより得られた順位別必要再生数Ｓ1〜Ｓnを記憶させる手順からなり、これらの手順を全優先順位Ｐ1〜Ｐnについて繰り返す。
【００５３】
再生スケジュール構成手段は、再生スケジュール構成プログラム407と、サーバ100の情報処理部101から構成される。順位別必要再生数算出プログラム407は、先に算出した順位別必要再生数Ｓ1〜Ｓnの総和から必要再生総数Ｓallを算出し、この必要再生総数Ｓallに等しい数の再生順序Ｔ1〜Ｔallからなる１次元マトリックスを構成するプログラムである。具体的な再生スケジュール構成プログラム407は、サーバ100の情報処理部101によりサーバ100の記憶部102に記憶させた順位別必要再生数Ｓ1〜Ｓnを読み出す手順、サーバ100の情報処理部101により呼び出した順位別必要再生数Ｓ1〜Ｓnを集計して必要再生総数Ｓallを得る手順、サーバ100の情報処理部101により前記必要再生総数Ｓallに基づいて再生順序Ｔ1〜Ｔallからなる１次元マトリックスを設定する手順、そしてサーバ100の情報処理部101によりサーバにの記憶部102に前記再生順序Ｔ1〜Ｔallからなる１次元マトリックスを記憶させる手順からなる。
【００５４】
第１順割当手段は、第１順割当プログラム408と、サーバ100の情報処理部101から構成される。第１順割当プログラム408は、先に設定した再生順序Ｔ1〜Ｔallからなる１次元マトリックスに対して優先順位Ｐ1のコンテンツを割り当てていくプログラムであり、サーバ100の情報処理部101により優先順位Ｐ1のコンテンツの再生スケジュールにおける出現間隔Int1を算出する手順と、サーバ100の情報処理部101により前記出現間隔Int1に従って具体的にコンテンツを割り当てていく手順とに分けることができる。
【００５５】
具体的な第１順割当プログラム408は、サーバ100の情報処理部101によりサーバ100の記憶部102に記憶させた必要再生総数Ｓall及び順位別必要再生数Ｓ1を読み出す手順、サーバ100の情報処理部101により必要再生総数Ｓallを順位別必要再生数Ｓ1で割り、剰余を除いた商である出現間隔Int1を算出する手順の前段と、サーバ100の情報処理部101により空いている最も早い再生順序Ｔj(i＝１〜Ｓall中の自然数)に優先順位Ｐ1の最初のコンテンツを割り当てる手順、次にサーバ100の情報処理部101により出現間隔Int1だけ間隔を開けた次の再生順序Ｔj(i＝１〜Ｓall中の自然数)に優先順位Ｐ1の次のコンテンツを割り当てる手順、サーバ100の情報処理部101により前記手順を順位別必要再生数Ｓ1−１回だけ繰り返す手順、そしてサーバ100の情報処理部101によりサーバ100の記憶部102に優先順位Ｐ1のコンテンツを割り当てた再生順序Ｔ1〜Ｔallからなる１次元マトリックスを記憶させる手順の後段とからなる。
【００５６】
再生順序Ｔ1〜Ｔallからなる１次元マトリックスのサーバ100の記憶部102への記憶は、後述の繰返割当プログラム409の実行後、すなわち全コンテンツの割り当てを終えた後でもよい。また、上記手順に対し、後述の繰返割当プログラム409で利用する残余再生数Ｓrestを算出する手順を加えてもよい。前記残余再生数Ｓrestを算出する手順は、サーバ100の情報処理部101によりサーバ100の記憶部102に記憶させた必要再生総数Ｓall及び順位別必要再生数Ｓ1をサーバ100の情報処理部101により読み出す手順、サーバ100の情報処理部101により必要再生総数Ｓallから順位別必要再生数Ｓ1を減算して残余再生数Ｓrestを算出する手順、そしてサーバ100の情報処理部101によりサーバ100の記憶部102に残余再生数Ｓrestを記憶させる手順からなる。
【００５７】
ここで、サーバ100の情報処理部101によりサーバ100の記憶部102に記憶させた必要再生総数Ｓall及び順位別必要再生数Ｓ1をサーバ100の情報処理部101により読み出す手順は、第１順割当プログラム408と併せて実行する場合、不要である。また、サーバ100の情報処理部101によりサーバ100の記憶部102に残余再生数Ｓrestを記憶させる手順は、第１順割当プログラム408に続いて後述の繰返割当プログラム409を実行する場合、不要である。
【００５８】
繰返割当手段は、繰返割当プログラム409と、サーバ100の情報処理部101から構成される。繰返割当プログラム409は、既に下位の優先順位のコンテンツを割り当てた再生順序Ｔ1〜Ｔallからなる１次元マトリックスに対して上位の優先順位のコンテンツを割り当てていくプログラムであり、サーバ100の情報処理部101により各優先順位Ｐ2〜Ｐnのコンテンツの再生スケジュールにおける出現間隔Int2〜Intnを算出する手順と、サーバ100の情報処理部101により前記出現間隔Int2〜Intnに従って具体的にコンテンツを割り当てていく手順とに大きく分けることができる。また、上記第１割当プログラム408で残余再生数Ｓrestを算出していない場合、サーバ100の情報処理部101により各優先順位Ｐ2〜Ｐnの各コンテンツを割り当てる前にそれぞれの残余再生数Ｓrestを算出する手順が必要である。Ｓrestは、常に下位の優先度の順位別必要回数を減算して利用する共通変数にするとよい。
【００５９】
具体的な繰返割当プログラム409は、優先順位Ｐ2について説明すれば次のようになる。まず、サーバ100の情報処理部101によりサーバ100の記憶部102に記憶させた残余再生数Ｓrest及び順位別必要再生数Ｓ2を読み出す手順、サーバ100の情報処理部101により残余再生数Ｓrestを順位別必要再生数Ｓ2で割り、剰余を除いた商である出現間隔Int2を算出する手順の前段と、サーバ100の情報処理部101により空いている最も早い再生順序Ｔj(i＝１〜Ｓall中の自然数)に優先順位Ｐ2の最初のコンテンツを割り当てる手順、次にサーバ100の情報処理部101により出現間隔Int1だけ間隔を開けた空いている再生順序Ｔj(i＝１〜Ｓall中の自然数)に優先順位Ｐ2の次のコンテンツを割り当てる手順、サーバ100の情報処理部101により前記手順を順位別必要再生数Ｓ2−１回だけ繰り返す手順、そしてサーバ100の情報処理部101によりサーバ100の記憶部102に優先順位Ｐ1のコンテンツを割り当てた再生順序Ｔ1〜Ｔallからなる１次元マトリックスを記憶させる手順の後段とからなる。ここで、出現間隔Int1だけ間隔を開けた再生順序Ｔj(i＝１〜Ｓall中の自然数)へ既に別のコンテンツが割り当てられている場合、次の再生順序Ｔj+1にコンテンツを割り当てるようにする。
【００６０】
上記繰返割当プログラム409は、優先順位Ｐ2以上について、同様に処理を繰り返して上位の優先順位を付した各コンテンツを、再生順序Ｔ1〜Ｔallからなる１次元マトリックスの空いた箇所へ割り当てていく。このため、各繰り返しの処理の間で、サーバ100の情報処理部101により次の繰り返しに必要な残余再生数Ｓrestを算出する手順を実行する。再生順序Ｔ1〜Ｔallからなる１次元マトリックスのサーバ100の記憶部102への記憶は、全コンテンツの割り当てを終えた後でもよい。
【００６１】
クライアント200は汎用のコンピュータにより構成でき、このクライアント200の構成は、図３に見られるように、コンピュータの情報処理部201を中心に、記憶部202、送受信部203、出力部204からなる機能ブロックで表すことができる。クライアント200は、ネットワーク300を介してのみデータ(コンテンツ及び再生スケジュール)を入力することが原則であるため、通常入力部は必要ないが、メンテナンス等のために入力部205を設けてもよい。記憶部202は、コンピュータの内部又は外部記憶装置であり、通常ハードディスク装置を用いる。送受信部203は、ネットワーク300に対してクライアント200からアクセスする送受信装置であり、例えばモデム又はルータを用いる。出力部204は、クライアントで再生するコンテンツを外部に出力するインターフェースで、ディスプレイやスピーカを例示できる。入力部205は、クライアントをメンテナンスする際に直接データを入力するインターフェースで、キーボード、マウス、スキャナや各種メモリリーダ等を例示できる。
【００６２】
上記クライアント200において、本発明の受信側記憶手段は受信管理プログラム(受信管理PR)501、情報処理部201及び記憶部202から、コンテンツ再生手段はコンテンツ再生プログラム(Ｃ再生PR)502、情報処理部201及び出力部204から、そして受信手段は受信プログラム(受信PR)503、情報処理部201及び送受信部203からそれぞれ構成される。このように、クライアント200として汎用のコンピュータを用いると、各種プログラムの変更又は追加によって機能を容易に変更又は追加できる利点がある。逆に機能の変更又は追加の必要がなければ、クライアントは、再生スケジュールに従ってコンテンツを順次再生できる専用装置から構成してもよい。
【００６３】
クライアント200の記憶部202は、サーバ100より配信されてきたコンテンツ(Ｃ)及び再生スケジュール(再生SC)のほか、前記コンテンツ(Ｃ)及び再生スケジュール(再生SC)を受信処理する受信プログラム(受信PR)503と、前記コンテンツ(Ｃ)及び再生スケジュール(再生SC)を順次読み出して再生するコンテンツ再生プログラム(Ｃ再生PR)502とを記憶させる。前記コンテンツ及び再生スケジュールは、クライアント200の情報処理部201により実行される受信管理プログラム501がデータベースとして管理する。こうして管理されたコンテンツ又は再生スケジュールは、サーバ100で管理されているコンテンツ又は再生スケジュールと突き合わせて更新の有無が判断される。
【００６４】
本例の配信システムは、基本的なコンテンツ及び再生スケジュールを受信するのみでなく、割込コンテンツを随時受信したり、サーバ100に対してコンテンツ又は再生スケジュールの更新を確認し、更新があれば随時コンテンツ又は再生スケジュールを受信する。このため、受信プログラム503は、更に基本受信プログラム(基本受信PR)504、割込受信プログラム(割込受信PR)505、更新確認プログラム(更新確認PR)506及び更新受信プログラム(更新受信PR)507に細分化されている。これから、受信手段は基本受信プログラム504、クライアント200の情報処理部201及び送受信部203から、割込受信手段は割込受信プログラム505、クライアント200の情報処理部201及び送受信部203から、更新確認手段は更新確認プログラム506、クライアント200の情報処理部201及び送受信部203、そして更新受信手段は更新受信プログラム507、クライアント200の情報処理部201及び送受信部203からそれぞれ構成される。
【００６５】
基本受信プログラム504は、サーバ100から配信されてくるコンテンツ又は再生スケジュールを受け取り、クライアント200の記憶部202に前記コンテンツ又は再生スケジュールを記憶させる基本的な受信処理を担うプログラムである。具体的な基本受信プログラム504は、クライアント200の情報処理部201によりサーバ100からの配信要求をクライアント200の送受信部203で受信する手順、前記配信要求に基づき、クライアント200の情報処理部203により配信されてくるコンテンツ又は再生スケジュールをクライアント200の送受信部203で受信し、随時クライアント200の記憶部202に前記コンテンツ又は再生スケジュールを記憶させる手順からなる。クライアント200の記憶部202へ記憶させたコンテンツ又は再生スケジュールの管理は、随時受信管理プログラム501によるデータベースの処理に移される。
【００６６】
割込受信プログラム505は、利用者又は配信者の要望により、再生スケジュールに組み込まれない単独のコンテンツとしてクライアント200へ送られてくる割込コンテンツを受信し、クライアント200の記憶部202に記憶させるプログラムである。具体的な割込受信プログラム505は、クライアント200の情報処理部201によりサーバ100からの割込要求をクライアント200の送受信部203で受信する手順、前記割込要求に基づき、クライアント200の情報処理部201により配信されてくる割込コンテンツをクライアント200の送受信部203で受信し、随時クライアント200の記憶部202に前記割込コンテンツを記憶させる手順からなる。
【００６７】
割込受信プログラム505の処理は上記基本受信プログラム504に準じることから、割込受信プログラム505はサーバ100からの割込要求を処理する例外処理プログラムとして基本受信プログラム504を利用した構成にしてもよい。割込コンテンツは、基本的に受信後すぐに再生されることが望まれるが、既に再生スケジュールに従ってコンテンツが再生されていることが多いため、前記再生スケジュールに従ったコンテンツの再生を阻害しないように、まず記憶部202に記憶させることが望ましい。
【００６８】
更新確認プログラム506は、クライアント200の記憶部202に記憶させているコンテンツ又は再生スケジュールを、サーバ100の記憶部102に記憶させているコンテンツ又は再生スケジュールと付き合わせ、コンテンツ又は再生スケジュールの更新の有無を確認するプログラムである。コンテンツ又は再生スケジュールは、同時又は個別に更新確認してもよい。コンテンツは、それぞれの再生内容で比較することが最も確実に更新の有無を確認できるが、それでは取り扱うデータ量が増え、クライアント200の処理負担が増大する。これから、例えばコンテンツ毎にコンテンツID等を付し、このコンテンツIDの比較によって更新の有無を確認するとよい。この場合、再生スケジュールの更新の有無は、再生順序Ｔ1〜Ｔallに従った前記コンテンツIDの並び順によって判別できる。
【００６９】
具体的な更新確認プログラム506は、クライアント200の情報処理部201によりサーバ100の記憶部102が現在記憶しているコンテンツ又は再生スケジュールの情報(上記コンテンツID又はコンテンツIDの並び)を取得する手順、クライアント200の情報処理部201によりクライアント200の記憶部202から現在再生しているコンテンツ又は再生スケジュールの情報(上記コンテンツID又はコンテンツIDの並び)を読み出す手順、クライアント200の情報処理部201によりサーバ100及びクライアント200それぞれのコンテンツ又は再生スケジュールの情報を比較する手順、そしてクライアント200の情報処理部201により比較の結果両者が一致しなければ更新受信手段に更新実行を命じる手順からなる。
【００７０】
更新受信プログラム507は、更新確認手段がコンテンツ又は再生スケジュールの更新を確認したことを受けて、クライアント200からサーバ100へコンテンツ又は再生スケジュールの配信を要請し、更新されたコンテンツ又は再生スケジュールを配信させ、受信するプログラムである。通常、更新されたコンテンツ又は再生スケジュールを受信する段階は、既にコンテンツを再生スケジュールに従って順次再生している状態にあるから、この更新受信プログラム507は、こうしたコンテンツの再生を阻害せず、円滑にコンテンツ又は再生スケジュールを更新させるバッファ処理を担っている。
【００７１】
具体的な更新受信プログラム507は、クライアント200の情報処理部201によりサーバ100の記憶部102が現在記憶しているコンテンツ又は再生スケジュールを配信要求を送信する手順、クライアント200の情報処理部201により配信されてきた新たなコンテンツ又は再生スケジュールをクライアント200の記憶部202に記憶させる手順からなる。このほか、現在再生しているコンテンツの再生スケジュールが再生順序Ｔallに達した段階で、新たに取得したコンテンツ又は再生スケジュールに切り換える手順を設けておくと、上述したコンテンツ又は再生スケジュールの円滑な更新が可能となる。これから、更新されたコンテンツ又は再生スケジュールを受信した段階では、クライアント200は新旧のコンテンツ又は再生スケジュールをクライアント200の記憶部202に記憶している。古いコンテンツ又は再生スケジュールは、更新されたコンテンツ又は再生スケジュールに切り替わった後に削除するとよい。
【００７２】
このような更新確認手段及び更新受信手段は、各クライアント200が主体となって、各クライアント200自身が扱うコンテンツ及び再生スケジュールの更新をサーバ100に対して確認し、更新が認められた場合にクライアント200自ら更新されたコンテンツ及び再生スケジュールを取得させる働きを有している。これにより、サーバ100により各クライアント200の更新管理をしなくても済み、サーバ100の負荷軽減、ひいては配信者の管理負担の軽減を図ることができる。
【００７３】
また、本例の配信システムは、自身が完結した再生内容を有するコンテンツを再生スケジュールに従って順に再生することを基本としながら、再生内容をネットワーク300上の第三者サーバ301に有する第三者コンテンツや、予め再生指定時間が設定された指定コンテンツ、そして適宜配信されてくる割込コンテンツを再生する。このため、コンテンツ再生プログラム(Ｃ再生PR)502は、更に基本コンテンツ再生プログラム(基本Ｃ再生PR)508、第三者コンテンツ再生プログラム(第三者Ｃ再生PR)509、指定コンテンツ再生プログラム(指定Ｃ再生PR)510及び割込コンテンツ再生プログラム(割込Ｃ再生PR)511に細分化されている。
【００７４】
これから、再生手段はコンテンツ再生プログラム508又は第三者コンテンツ再生プログラム509、クライアント200の情報処理部201及び出力部204から、指定コンテンツ再生手段は指定コンテンツ再生プログラム510、クライアント200の情報処理部201及び出力部204から、そして割込コンテンツ再生手段は割込コンテンツ再生プログラム511、クライアント200の情報処理部201及び出力部204からそれぞれ構成される。
【００７５】
基本コンテンツ再生プログラム508は、クライアント200の記憶部202に記憶させたコンテンツを再生スケジュールに従って順に読み出し、コンテンツそれぞれの再生内容に従って再生し、それぞれ出力部204から外部に出力させるプログラムである。具体的な基本コンテンツ再生プログラム508は、クライアント200の情報処理部201によりクライアント200の記憶部202から再生スケジュールを読み出す手順、クライアント200の情報処理部201により前記再生スケジュールの再生順序Ｔ1から順に割り当てたコンテンツをクライアント200の記憶部202から順に読み出す手順、クライアント200の情報処理部201により読み出したコンテンツを各コンテンツの再生内容に従って再生する手順、そして再生されたコンテンツの再生内容をこの再生内容に応じた出力部204から出力させる手順からなる。コンテンツの再生内容が音声又は音楽の場合は出力部204にスピーカを用い、前記再生内容が静止画又は動画の場合は出力部204にディスプレイを用いる。
【００７６】
第三者コンテンツ再生プログラム509は、再生スケジュールに従って順次再生されるコンテンツ、割込コンテンツ又は指定コンテンツのうち、再生内容がクライアント200の接続するネットワーク300上の第三者サーバ301にある第三者コンテンツを再生するプログラムであり、クライアント200をネットブラウザとして利用する。このように、第三者コンテンツ再生プログラム509は、基本コンテンツ再生プログラム508、指定コンテンツ再生プログラム510又は割込コンテンツ再生プログラム511の例外処理プログラムであり、基本コンテンツ再生プログラム508、指定コンテンツ再生プログラム510又は割込コンテンツ再生プログラム511の各コンテンツを再生する手順において、再生内容としてURLを検出した場合に実行する。
【００７７】
具体的な第三者コンテンツ再生プログラム509は、クライアント200の情報処理部201により第三者コンテンツの再生内容として検出されたURLに従って送受信部203からネットワーク300上の第三者サーバ301にアクセスする手順、クライアント200の情報処理部201により前記第三者サーバ301から前記URLに掲載された再生内容を取り込む手順からなる。こうして取り込まれた再生内容は、基本コンテンツ再生プログラム508、指定コンテンツ再生プログラム510又は割込コンテンツ再生プログラム511の各コンテンツを再生する手順に従って再生される。すなわち、URLに掲載された再生内容は、取り込んでしまえば他のコンテンツの再生内容と同様に扱うことができる。
【００７８】
指定コンテンツ再生プログラム510は、再生スケジュールとは無関係に、再生指定時間に指定コンテンツを再生させるプログラムである。具体的な指定コンテンツ再生プログラム510は、クライアント200の情報処理部201によりクライアント200の記憶部202に記憶させた指定コンテンツを再生指定時間に読み出す手順、クライアント200の情報処理部201により読み出した指定コンテンツを再生指定時間経過後に再生を終えた通常のコンテンツに続いて再生する手順、そして再生された指定コンテンツの再生内容をこの再生内容に応じた出力部204から出力させる手順からなる。指定コンテンツは、再生指定間経過直後に再生スケジュールに割り込ませて再生するのみで、再生スケジュールの再生順序を変更させるものではない。このため、再生スケジュールに従ったコンテンツは、指定コンテンツ再生後、指定コンテンツを割り込ませた直前のコンテンツに続く次の再生順序のコンテンツを再生すればよい。
【００７９】
指定コンテンツは、再生スケジュールの繰り返しにより左右されない絶対時間＝再生指定時間に再生できればよい。これから、指定コンテンツは、基本受信手段により通常のコンテンツと同時に受信したり、割込受信手段により割込コンテンツとして適宜受信することができる。再生指定時間は、一時的なものでもよいし、特定期間の中での繰り返し時間であってもよい。通常、指定コンテンツの受信から再生指定時間までは間があるため、受信後クライアント200の記憶部202に記憶させておくことになるから、再生指定時間が前記繰り返し時間である場合、その都度クライアント200の記憶部202から同じ指定コンテンツを読み出して再生することになる。
【００８０】
割込コンテンツ再生プログラム511は、割込受信手段によって受信した割込コンテンツを、再生スケジュールの再生順序Ｔ1〜Ｔallの間に割り込ませて再生するプログラムである。具体的な割込コンテンツ再生プログラム511は、クライアント200の情報処理部201によりクライアント200の記憶部202に記憶させた割込コンテンツを読み出す手順、クライアント200の情報処理部201により読み出した割込コンテンツを前記読み出し後に再生を終えた通常のコンテンツに続いて再生する手順、そして再生された割込コンテンツの再生内容をこの再生内容に応じた出力部204から出力させる手順からなる。割込コンテンツは、適宜再生スケジュールに割り込ませて再生するのみで、再生スケジュールの再生順序を変更させるものではない。このため、再生スケジュールに従ったコンテンツは、割込コンテンツ再生後、割込コンテンツを割り込ませた直前のコンテンツに続く次の再生順序のコンテンツを再生すればよい。
【００８１】
割込コンテンツは、利用者又は配信者の要望に応じて適宜サーバ100から配信されたり、利用者又は配信者のコンピュータ等から直接送信され、上述の割込コンテンツ受信手段により受信し、割込コンテンツ再生手段により受信後に再生できればよい。この割込コンテンツは、指定コンテンツのように再生指定時間は付されていないため、例えば割込コンテンツに優先順位を付し、再生スケジュールに従ったコンテンツの優先順位が高ければ、受信時よりあまり遅くない時間内で割込コンテンツの再生を遅らせることもできる。また、割込コンテンツは、指定コンテンツと異なり、基本的には一度再生すれば必要ないため、クライアント200の記憶部202に記憶させておく必要はない。しかし、例えば再生数を定めた割込コンテンツの場合、一時的にクライアント200の記憶部202に記憶させておき、前記再生数を満たすように、適宜再生スケジュールに割り込ませて割込コンテンツを繰り返し再生するようにしてもよい。
【００８２】
次に、本発明による配信システムの処理の流れを、主としてサーバ100における再生スケジュールの生成(図４〜図16)と、クライアント200におけるコンテンツの再生(図17〜図20b)とにより説明する。以下における符号は、図１〜図３を参照する。また、本例は、説明の便宜上、優先順位Ｐ1〜Ｐ5が５段階の合計27個のコンテンツＣ11〜Ｃ53を配信、再生する配信システムを想定している。しかし、再生スケジュールに含まれるコンテンツ数は多いほど、利用者側が告知又は宣伝したい情報と、視聴者が取得したい情報との調整をうまく図ることができる。
【００８３】
図４は配信システムによるコンテンツ配信の全体フロー図、図５は再生スケジュール生成を表した部分フロー図、図６は優先順位Ｐ1〜Ｐ5を付したコンテンツＣ11〜Ｃ53を表した概念図、図７は優先順位Ｐ1〜Ｐ5と出現率Ａ1〜Ａ5との対応関係を表した概念図、図８は再生順序Ｔ1〜Ｔallからなる１次元マトリックスを構成する再生スケジュール構成を表した部分フロー図、図９は各優先順位毎の順位別必要再生数の算出を表した概念図、図10は必要再生総数Ｓallから再生順序Ｔ1〜Ｔallからなる１次元マトリックスを構成した概念図、図11は再生順序Ｔ1〜Ｔallからなる１次元マトリックスに対して第１順割当及び繰返割当によりコンテンツを割り当てていく流れを表した部分フロー図、図12は優先順位Ｐ1の各コンテンツＣ11〜CR18を割り当てていく手順を表した概念図、図13は優先順位Ｐ2の各コンテンツＣ21〜CR25を割り当てていく手順を表した概念図、図14は優先順位Ｐ3の各コンテンツＣ31〜CR36を割り当てていく手順を表した概念図、図15は優先順位Ｐ4の各コンテンツＣ41〜CR45を割り当てていく手順を表した概念図であり、図16は優先順位Ｐ5の各コンテンツＣ51〜CR53を割り当てていく手順を表した概念図である。
【００８４】
本発明の配信システムでは、図４に見られるように、まず利用者、作成者又は配信者がコンテンツを作成するところから始まる。通常、利用者が配信したいコンテンツを用いるため、利用者又は利用者が作成を依頼した作成者が、それぞれのコンピュータ等を利用してコンテンツを作成する。コンテンツの種類に限定はなく、クライアント200で再生可能な再生内容を含むものであれば自由である。各コンテンツの再生時間は、再生内容に含まれる音声、音楽又は動画の再生時間か、テキスト又は静止画に対して設定した表示時間の長い方で決定される。これら配信するコンテンツは、このほか配信者が作成するものも含まれる。各クライアント200毎の配信単位は、利用者(又は利用者が作成を依頼した作成者)のコンテンツと、配信者のコンテンツとを組み合わせて構成する。
【００８５】
各コンテンツは、利用者又は配信者に優先順位Ｐ1〜Ｐ5を設定させる。各コンテンツに対する優先順位Ｐ1〜Ｐ5の設定は、利用者又は配信者がコンテンツを作成するコンピュータ上で予めコンテンツ毎に付するか、サーバ100の記憶部102に各コンテンツを記憶させる際に、別途利用者又は配信者が設定するとよい。この優先順位の段階数は自由であるが、段階数が少ないと本発明におけるコンテンツの分散させる作用が発揮できず、逆に段階数があまり多いとかえって優先順位を設定しにくい。これから、優先順位の段階数は最低３段階〜数10段階、現実的には本例の５段階〜10段階程度が好ましい。また、優先順位Ｐ1〜Ｐ5は、大小を区別する数字で表されるが、前記数字は等間隔の自然数が分かりやすくてよい。これから、本例の優先順位Ｐ1〜Ｐ5は、１〜５の自然数としている(後掲図６参照)。
【００８６】
各コンテンツは、適宜又はまとめてサーバ100の記憶部102に記憶される。利用者又は作成者から提供されるコンテンツは、各種記録メディアにより配信者へもたらされ、配信者によりサーバ100の記憶部102に記憶されたり、利用者又は作成者のコンピュータから直接ネットワーク300を介してサーバ100の記憶部102へ送信されてくる。また、配信者が作成するコンテンツは、配信者のコンピュータで作成され、各種記録メディア又はネットワーク300を介してサーバ100の記憶部102に記憶されたり、直接サーバ100上で作成され、サーバ100の記憶部102に記憶させる。各コンテンツは、サーバ100の記憶部102に記憶させる段階で個別のコンテンツIDを付すことにより、サーバ100又はクライアント200での管理及び更新確認を容易にする。
【００８７】
配信単位のコンテンツがサーバ100の記憶部102に記憶された段階で、配信単位のコンテンツに基づいて再生スケジュールを生成する。具体的な再生スケジュールの生成手順は、図５に見られる手順による。出現率Ａ1〜Ａ5は、配信者により、利用者の要望に合わせて出現率設定手段により設定し、サーバ100の記憶部102に記憶させておく。出現率Ａ1〜Ａ5の設定のタイミングは、配信単位のコンテンツが揃う前でもよいし、配信単位のコンテンツが揃った後でもよいが、いずれにしても再生スケジュールの生成の最初の段階で設定しておく必要がある。
【００８８】
再生スケジュールの生成の最初は、まず図６に見られるように、順位別コンテンツ数集計手段により、優先順位Ｐ1〜Ｐ5毎の順位別コンテンツ数Ｒ1〜Ｒ5が集計される。本例の場合、優先順位Ｐ1＝１のコンテンツＣ11〜Ｃ18により順位別コンテンツ数Ｒ1＝８、優先順位Ｐ2＝２のコンテンツＣ21〜Ｃ25により順位別コンテンツ数Ｒ2＝５、優先順位Ｐ3＝３のコンテンツＣ31〜Ｃ36により順位別コンテンツ数Ｒ3＝６、優先順位Ｐ4＝４のコンテンツＣ41〜Ｃ45により順位別コンテンツ数Ｒ4＝５、そして優先順位Ｐ5＝５のコンテンツＣ51〜Ｃ53により順位別コンテンツ数Ｒ5＝３となる。
【００８９】
各優先順位Ｐ1〜Ｐ5は、図７に見られるように、予め設定された出現率Ａ1〜Ａ5に対応付けられている。具体的には、優先順位Ｐ1＝１は出現率Ａ1＝1.00、優先順位Ｐ2＝２は出現率Ａ2＝1.75、優先順位Ｐ3＝３は出現率Ａ3＝2.25、優先順位Ｐ4＝４は出現率Ａ4＝2.50、そして優先順位Ｐ5＝５は出現率Ａ5＝2.65となる。このように、出現率Ａ1〜Ａ5は、優先順位Ｐ1〜Ｐ5と異なり、前記記載順の大小関係さえ守られていれば、自然数でなくてもよい。これは、優先順位Ｐ1〜Ｐ5はあくまで利用者又は配信者が意図する優先度合いを表すものであるのに対し、出現率Ａ1〜Ａ5は再生スケジュールにおける各コンテンツの出現頻度を設定する目的で設定される目的の相違に基づく違いである。
【００９０】
こうして順位別コンテンツ数Ｒ1〜Ｒ5の算出、そして優先順位Ｐ1〜Ｐ5と出現率Ａ1〜Ａ5の対応付けを終えれば、続いて再生スケジュール構成手段により、図８に見られるように、再生順序Ｔ1〜Ｔallからなる１次元マトリックス(１次元MX)を作成する。図８中、Ｓiは優先順位Ｐiの順位別必要再生数、Ｒiは優先順位Ｐiの順位別コンテンツ数、そしてＡiは優先順位Ｐiの出現率をそれぞれ表し、ｉは優先順位の段階数ｎを上限とする変数である。具体的には、まず順位別コンテンツ数Ｒ1〜Ｒ5及び出現率Ａ1〜Ａ5を掛け合わせて順位別必要再生数Ｓ1〜Ｓ5を求め、次に前記順位別必要再生数Ｓ1〜Ｓ5の総和から求めた必要再生総数Ｓall＝再生順序Ｔallとして、再生順序Ｔ1〜Ｔallからなる１次元マトリックスを作成する。
【００９１】
本例の場合、図９に見られるように、順位別必要再生数Ｓ1＝順位別コンテンツ数Ｒ1×出現率Ａ1＝８×1.00＝８、順位別必要再生数Ｓ2＝順位別コンテンツ数Ｒ2×出現率Ａ2＝５×1.75＝8.75≒９、順位別必要再生数Ｓ3＝順位別コンテンツ数Ｒ3×出現率Ａ3＝６×2.25＝13.5≒14、順位別必要再生数Ｓ4＝順位別コンテンツ数Ｒ4×出現率Ａ4＝５×2.50＝12.5≒13、そして順位別必要再生数Ｓ5＝順位別コンテンツ数Ｒ5×出現率Ａ5＝３×2.65＝7.95≒８となる。ここで、出現率Ａ2〜Ａ5は小数であるため、順位別必要再生数Ｓ2〜Ｓ5は小数となるが、四捨五入している。
【００９２】
必要再生総数Ｓallは、前記順位別必要再生数Ｓ1〜Ｓ5の総和であるから52となる。これから、再生順序Ｔall＝必要再生総数Ｓall＝52となり、図10に見られるように、再生順序Ｔ1〜Ｔallからなる１次元マトリックスが作成できる。図10中、前記１次元マトリックスは、マス目様の各再生順序Ｔj(ｊ＝１〜52)が並んだ構造として図示し、更に再生順序Ｔ10、再生順序Ｔ20、再生順序Ｔ30、再生順序Ｔ40及び再生順序Ｔ50のマス目を太枠で囲って、区切りを分かりやすくしている。
【００９３】
こうして作成を終えた再生順序Ｔ1〜Ｔallからなる１次元マトリックスに対し、優先順位Ｐ1のコンテンツＣ11〜Ｃ18から順に優先順位Ｐ5のコンテンツＣ51〜Ｃ53までを割り当てていき、再生スケジュールを生成する。具体的な手順は、図11に見られるように、まず第１順割当手段により、なんらコンテンツを割り当てていない１次元マトリックスに優先順位Ｐ1のコンテンツＣ11〜Ｃ18を割り当てていき、次いで繰返割り当て手段により、既にコンテンツが割り当てられた１次元マトリックスに優先順位Ｐ2以降のコンテンツＣ21〜Ｃ53を割り当てていく。図11中、Ｓiは優先順位Ｐiの順位別必要再生数を表し、ｉは優先順位の段階数ｎを上限とする変数、Ｔjはコンテンツを割り当てる１次元マトリックス上の再生順序を表し、ｊは１〜Ｓallいずれかの変数、そしてＣ1kは優先順位Ｐ1の各コンテンツ、同じくＣikは優先順位Ｐiの各コンテンツをそれぞれ表し、ｋは各優先順位Ｐiに対応する順位別コンテンツ数Ｒiを上限とする変数である。
【００９４】
第１順割当手段は、まず出現間隔Int1を算出する。この出現間隔Int1は、必要再生総数Ｓallを順位別必要再生数Ｓ1で割った値で、剰余は切り捨てる。すなわち、出現間隔Int1＝必要再生総数Ｓall/順位別必要再生数Ｓ1＝52/８＝６であり、剰余は４となる。これから、優先順位Ｐ1のコンテンツＣ11〜Ｃ18は、図12に見られるように、それぞれ出現間隔Int1＝６の開けて再生順序Ｔ1〜Ｔallからなる１次元マトリックスに割り当てていくことになる。図12中、説明の便宜上、各優先順位に応じて１次元マトリックスを並列に図示しているが、実際の１次元マトリックスは一つである。
【００９５】
具体的には、まずコンテンツＣ11を再生順序Ｔ1に割り当てる。このように、なんらコンテンツを割り当てていない状態から割り当てる優先順位Ｐ1の最初のコンテンツＣ11は、必ず再生順序Ｔ1に割り当てられる。次のコンテンツＣ12は、出現間隔Int1だけ開いた再生順序Ｔ８に割り当て、以下コンテンツＣ13〜Ｃ18は相互に出現間隔Int1だけ開けて割り当てていく。こうしてコンテンツＣ11〜Ｃ18が割り当てられた再生順序Ｔjは、他のコンテンツＣ21〜Ｃ53を割り当てることができない。図12中、もはやコンテンツを割り当てることのできない再生順序Ｔjのマス目に×印を付している。
【００９６】
ここで、優先順位Ｐ1のコンテンツＣ11〜Ｃ18は、順位別必要再生数Ｓ1だけ割り当てが許されるため、最後のコンテンツＣ18を割り当てれば、１次元マトリックスに対する割当が終了する。これは、出現率Ａ1＝1.00であり、優先順位Ｐ1のコンテンツＣ11〜Ｃ18がそれぞれ１度しか再生スケジュール上に現れないように設定したことを意味する。裏返せば、出現率Ａ2〜Ａ5は１よりも大きな値に設定しているため、再生スケジュール上で繰り返して再生されるコンテンツが発生する(後掲図13〜図17参照)。
【００９７】
次に、繰返割当手段により、図13に見られるように、優先順位Ｐ2のコンテンツＣ21〜Ｃ25を、１次元マトリックスの空いた再生順序Ｔjに対して割り当てていく。このため、まず出現間隔Int2を算出する。出現間隔Int2は、上記出現間隔Int1と違い、既に割り当てたコンテンツＣ11〜Ｃ18の個数、すなわち順位別必要再生数Ｓ1を必要再生総数Ｓallから差し引いた剰余再生数Ｓrestを母数とする。すなわち、出現間隔Int2＝(必要再生総数Ｓall−順位別必要再生数Ｓ1)/順位別必要再生数Ｓ2＝剰余再生数Ｓrest/順位別必要再生数Ｓ2＝(52-８)/９＝４であり、剰余は８となる。
【００９８】
これから、優先順位Ｐ2の最初のコンテンツＣ21は、まだコンテンツの割り当てがなく、最も早い再生順序Ｔ2に割り当て、次のコンテンツＣ22は上記出現間隔Int2＝４だけ空いた再生順序Ｔ7に割り当てることになる。上記優先順位Ｐ1のコンテンツＣ11〜Ｃ18と異なり、優先順位Ｐ2の順位別コンテンツ数Ｒ2は５個であるのに対し、順位別必要再生数Ｓ2は９である。このため、１巡目のコンテンツＣ21〜Ｃ25を１次元マトリックスに割り当てた後、更に２巡目のコンテンツＣ21〜Ｃ24まで割り当てることができる。しかし、再生順序Ｔ44に割り当てたコンテンツＣ24の後には出現間隔Int2＝４以上に再生順序Ｔjが残っているが、もはや必要再生数Ｓ2だけコンテンツを割り当てているため、更にコンテンツＣ25を割り当てることはできない。
【００９９】
後は、上述の優先順位Ｐ2のコンテンツＣ21〜Ｃ25の割当と同様に、優先順位Ｐ3のコンテンツＣ31〜Ｃ36(図14)、優先順位Ｐ4のコンテンツＣ41〜Ｃ45(図15)、そして優先順位Ｐ5のコンテンツＣ51〜Ｃ53を、それぞれ順に空いた再生順序Ｔjに対して割り当てていく。具体的には、コンテンツＣ31〜Ｃ36は出現間隔Int3＝２の間隔で、コンテンツＣ41〜Ｃ45は出現間隔Int4＝１の間隔で、そしてコンテンツＣ51〜Ｃ53は出現間隔Int3＝１の間隔で割り当てていく。
【０１００】
ここで、例えばコンテンツＣ31を見ると、出現間隔Int3＝２に当たる再生順序Ｔ22はコンテンツＣ14が、また次の再生順序Ｔ23はコンテンツＣ25を既に割り当てられているため、その後の再生順序Ｔ24に割り当てられている。このように、各コンテンツは必ずしもそれぞれの出現間隔に従って、１次元マトリックスに等間隔で割り当てらず、むしろ不等間隔で割り当てられる。
【０１０１】
また、優先順位Ｐ5のコンテンツＣ51〜Ｃ53を割り当てる段階では、既に下位のコンテンツＣ11〜Ｃ45がすべて割り当て済みで、既に順位別必要再生数Ｓ5に等しい数の再生順序Ｔjしか残っていない。このため、改めて出現間隔Ｔ5を求めなくてもコンテンツＣ51〜Ｃ53を割り当てることができる。これは、優先順位Ｐ5を割り当てる段階では、残余再生数Ｓrestが順位別必要再生数Ｓ5に等しくなっており、出現間隔Int5が必ず１になることからも理解できる。
【０１０２】
こうして、再生順序Ｔ1〜Ｔallからなる１次元マトリックスに優先順位の低いコンテンツを等間隔で振り分け、優先順位の高いコンテンツも偏ることなく高い出現頻度で再生される再生スケジュールが作成できる。再生スケジュールが１巡する時間は、この再生スケジュールに従って再生される全コンテンツＣ11〜Ｃ53の各再生時間の総和となる。サーバは、この再生スケジュールと再生スケジュールに従って再生されるコンテンツＣ11〜Ｃ53を配信単位として、配信手段によりサーバ100から各クライアント200へ配信する。受信手段により前記再生スケジュール及び配信単位のコンテンツＣ11〜Ｃ53を受信したクライアント200は、前記再生スケジュールに従って順にコンテンツＣ11〜Ｃ53を再生していく。
【０１０３】
図17はクライアント200における各種コンテンツの再生を表した部分フロー図、図18は再生スケジュールに従ったコンテンツＣ11〜Ｃ53の再生を表した概念図、図19aは指定コンテンツＣapにより再生スケジュールに割り込みを掛ける状態を表した概念図、図19bは指定コンテンツＣapの割り込みによる再生スケジュールのずれを表した概念図、図20aは割込コンテンツＣirにより再生スケジュールに割り込みを掛ける状態を表した概念図、図20bは割込コンテンツＣirの割り込みによる再生スケジュールのずれを表した概念図、図21aは新たなコンテンツ又は再生スケジュールを受信した状態を表した概念図であり、図21bは新たなコンテンツ又は再生スケジュールに切り換える状態を表した概念図である。
【０１０４】
本例の配信システムは、単独で再生される通常のコンテンツのほか、第三者サーバ301から再生内容を取り込む第三者コンテンツ、再生指定時間を付した指定コンテンツ、そして随時割り込むコンテンツを取り扱うため、図17に見られる手順に従って、コンテンツ再生手段、第三者コンテンツ再生手段、指定コンテンツ再生手段及び割込コンテンツ再生手段を使い分けながら、再生スケジュールに従ってコンテンツＣ11〜Ｃ53を繰り返し再生する。再生スケジュール及びコンテンツＣ11〜Ｃ53は、既にクライアント200が記憶部202に記憶しているため、コンテンツＣ11〜Ｃ53の再生中にサーバ100との通信が遮断しても問題はない。
【０１０５】
基本的には、図18に見られるように、基本コンテンツ再生手段が、再生順序Ｔ1に割り当てたコンテンツＣ11から、再生順序Ｔ2に割り当てたコンテンツＣ21、再生順序Ｔ3に割り当てたコンテンツＣ31、…、と各コンテンツを再生スケジュールに並ぶ順に再生していく。ここで、再生順序Ｔ6に割り当てたコンテンツＣ32が、URLを含む第三者コンテンツであった場合、第三者コンテンツ再生手段が前記URLの第三者サーバ301から再生内容を取得して、前記再生内容を再生する。ここで、こうした第三者コンテンツは、ネットワーク300を介して再生内容を取得するために遅延しやすい。このため、例えば再生順序Ｔ5のコンテンツＣ51を再生している間にネットワーク300を通じて前記URLの第三者サーバ301にアクセスし、逐次再生の再生内容を除き、予め再生内容を取得しておくとよい。
【０１０６】
指定コンテンツＣapは、図19aに見られるように、再生スケジュールの再生順序Ｔjとは無関係に、絶対時間で再生指定時間を設定している。このため、再生指定時間が図19a中再生順序Ｔ8のコンテンツＣ12の再生中であったり、また再生順序Ｔ14及び再生順序Ｔ15の区切りであったりする。いずれの場合でも、再生スケジュールに従ったコンテンツの再生が基本であるため、指定コンテンツ再生手段は、図19bに見られるように、指定コンテンツＣapを再生指定時間より後に再生する。
【０１０７】
再生スケジュールは、あくまでコンテンツＣ11〜Ｃ53の再生順序を定めているだけで、絶対的又は相対的な時間で再生順序を制約しているわけではない。このため、上述のように指定コンテンツＣapの再生が割り込まれた場合、図19bに見られるように、割り込まれた直後の再生順序Ｔ9は後ろへずれ、指定コンテンツＣapの再生終了後、再生順序Ｔ9に割り当てたコンテンツＣ33が再生される。再生順序Ｔ14に割り当てたコンテンツＣ43も同様である。
【０１０８】
割込コンテンツＣirは、図20aに見られるように、割込受信手段で受信したタイミングで再生スケジュールに割り込ませて再生される。このため、割込コンテンツＣirは、上述の指定コンテンツＣap同様、例えば再生スケジュールに従った再生順序Ｔ6に割り当てたコンテンツＣ32が再生中である場合、受信から再生までに遅延が働く。このため、割込受信手段は受信した割込コンテンツＣirを一時的にクライアント200の記憶部202に記憶させておき、図20bに見られるように、再生可能な段階で割込コンテンツ再生手段が改めて割込コンテンツＣirを読み出して、再生するとよい。
【０１０９】
このように、指定コンテンツＣapと割込コンテンツＣirとは、その取り扱いが似ているが、前者はあくまで再生指定時間での再生が重要であり、後者は特に利用者が要求するタイミングで再生させることが重要である違いがある。裏返せば、前記再生のタイミングの違いを除けば、クライアント200における処理は類似するため、指定コンテンツ再生手段と割込コンテンツ再生手段とは兼ねることができる。
【０１１０】
最後に、クライアント200によるコンテンツ又は再生スケジュールの更新について説明する。クライアント200は、再生スケジュールに従ってクライアントを順に再生しながら、定期的にサーバ100に対して更新確認手段でアクセスし、コンテンツ又は再生スケジュールの更新の有無を確認する。上記図４に示す手順では、説明の便宜上、再生スケジュールに基づくコンテンツの繰り返し再生が１巡した後に更新確認をする手順になっているが、更新確認のタイミングは任意に設定できる。図４中更新確認を破線表示しているのは、こうした理由に基づく。実際には、クライアント200が有する現在のコンテンツを再生中、バックグランドの処理として更新確認(図21a)及び更新受信(図21b)を実行する。
【０１１１】
更新確認手段がコンテンツ又は再生スケジュールの更新を確認すれば、図21aに見られるように、クライアント200は表面上再生スケジュールに従ったコンテンツの再生を続けながら、内部では更新受信手段によってサーバ100から新しいコンテンツ又は再生スケジュールを受信し、クライアント200の記憶部202に記憶させる。新たなコンテンツ又は再生スケジュールへの切換えも任意に設定してよいが、新旧のコンテンツ又は再生スケジュールの円滑な切換えを実現するには、図21bに見られるように、現在再生中の再生スケジュールの１巡が終了した段階で切り換えることが望ましい。
【０１１２】
こうしてコンテンツ又は再生スケジュールの更新を終えた後、古いコンテンツ又は再生スケジュールは不要であり、基本的に無人で作動するクライアント200の有限な記憶部202を不要に占有することから、削除することが望ましい。しかし、古いコンテンツ及び再生スケジュールを旧配信単位として記憶部202に保存しておき、例えばコンテンツ又は再生スケジュールの更新が不可能になった場合(ネットワーク300の遮断)、現在再生中のコンテンツ及び再生スケジュールと古いコンテンツ及び再生スケジュールとを切り替えながら、再生されるコンテンツを変化させるようにしてもよい。
【図面の簡単な説明】
【０１１３】
【図１】本発明を適用した配信システムの全体構成を表すネットワーク構成図である。
【図２】サーバの機能構成を表すサーバの機能ブロック図である。
【図３】クライアントの機能構成を表すクライアントの機能ブロック図である。
【図４】配信システムによるコンテンツ配信の全体フロー図である。
【図５】再生スケジュール生成を表した部分フロー図である。
【図６】優先順位Ｐ1〜Ｐ5を付したコンテンツＣ11〜Ｃ53を表した概念図である。
【図７】優先順位Ｐ1〜Ｐ5と出現率Ａ1〜Ａ5との対応関係を表した概念図である。
【図８】再生順序Ｔ1〜Ｔallからなる１次元マトリックスを構成する再生スケジュール構成を表した部分フロー図である。
【図９】各優先順位毎の順位別必要再生数の算出を表した概念図である。
【図１０】必要再生総数Ｓallから再生順序Ｔ1〜Ｔallからなる１次元マトリックスを構成した概念図である。
【図１１】再生順序Ｔ1〜Ｔallからなる１次元マトリックスに対して第１順割当及び繰返割当によりコンテンツを割り当てていく流れを表した部分フロー図である。
【図１２】優先順位Ｐ1の各コンテンツＣ11〜CR18を割り当てていく手順を表した概念図である。
【図１３】優先順位Ｐ2の各コンテンツＣ21〜CR25を割り当てていく手順を表した概念図である。
【図１４】優先順位Ｐ3の各コンテンツＣ31〜CR36を割り当てていく手順を表した概念図である。
【図１５】優先順位Ｐ4の各コンテンツＣ41〜CR45を割り当てていく手順を表した概念図である。
【図１６】優先順位Ｐ5の各コンテンツＣ51〜CR53を割り当てていく手順を表した概念図である。
【図１７】クライアントにおける各種コンテンツの再生を表した部分フロー図である。
【図１８】再生スケジュールに従ったコンテンツＣ11〜Ｃ53の再生を表した概念図である。
【図１９ａ】指定コンテンツＣapにより再生スケジュールに割り込みを掛ける状態を表した概念図である。
【図１９ｂ】指定コンテンツＣapの割り込みによる再生スケジュールのずれを表した概念図である。
【図２０ａ】割込コンテンツＣirにより再生スケジュールに割り込みを掛ける状態を表した概念図である。
【図２０ｂ】割込コンテンツＣirの割り込みによる再生スケジュールのずれを表した概念図である。
【図２１ａ】新たなコンテンツ又は再生スケジュールを受信した状態を表した概念図である。
【図２１ｂ】新たなコンテンツ又は再生スケジュールに切り換える状態を表した概念図である。
【符号の説明】
【０１１４】
100  サーバ
101  情報処理部
102  記憶部
200  クライアント
201  情報処理部
202  記憶部
300  ネットワーク
301  第三者サーバ
【図１】
2005117257.tif 000003
【図２】
2005117257.tif 000004
【図３】
2005117257.tif 000005
【図４】
2005117257.tif 000006
【図５】
2005117257.tif 000007
【図６】
2005117257.tif 000008
【図７】
2005117257.tif 000009
【図８】
2005117257.tif 000010
【図９】
2005117257.tif 000011
【図１０】
2005117257.tif 000012
【図１１】
2005117257.tif 000013
【図１２】
2005117257.tif 000014
【図１３】
2005117257.tif 000015
【図１４】
2005117257.tif 000016
【図１５】
2005117257.tif 000017
【図１６】
2005117257.tif 000018
【図１７】
2005117257.tif 000019
【図１８】
2005117257.tif 000020
【図１９ａ】
2005117257.tif 000021
【図１９ｂ】
2005117257.tif 000022
【図２０ａ】
2005117257.tif 000023
【図２０ｂ】
2005117257.tif 000024
【図２１ａ】
2005117257.tif 000025
【図２１ｂ】
2005117257.tif 000026